(57)【要約】【課題】テイクアウト商品に対してテイクアウトラベルを発行しないで手渡すことがなく、また手渡した商品に問題が生じた場合でもその追跡調査を容易に行うことができるオーダリングシステムを提供すること。【解決手段】客が所望する商品の注文を受け付けるオーダリングシステム１である。客が注文する商品を選択する選択手段（タッチパネル１２７）と、選択手段で選択された商品がテイクアウト商品であることを宣言する宣言手段（タッチパネル１２７に表示されたテイクアウトボタンｐ１−６）と、宣言手段で宣言されたテイクアウト商品のテイクアウトラベル２５０を発行するラベル発行手段（ラベルプリンタ５０）と、ラベル発行手段により発行されたテイクアウトラベル２５０の発行履歴を記憶する記憶手段（管理装置１０のハードディスク１０９など）とを備える。テイクアウト商品に対してテイクアウトラベル２５０を発行しないで手渡すことを防止できる。【選択図】図１
2015114867.tif 000002
【特許請求の範囲】
【請求項１】
客が所望する商品の注文を受け付けるオーダリングシステムにおいて、
前記客が注文する商品を選択する選択手段と、
前記選択手段で選択された商品がテイクアウト商品であることを宣言する宣言手段と、
前記宣言手段で宣言されたテイクアウト商品のテイクアウトラベルを発行するラベル発行手段と、を備え、
前記ラベル発行手段は、前記選択されたテイクアウト商品の代金決済がなされた時点、或いは、前記選択されたテイクアウト商品の調理が完了した宣言がなされた時点、或いは、前記選択されたテイクアウト商品が客に引き渡される宣言がなされた時点、の何れかにおいて、前記選択されたテイクアウト商品のテイクアウトラベルを発行することを特徴とするオーダリングシステム。
【請求項２】
前記ラベル発行手段により発行されたテイクアウトラベルの発行履歴を記憶する記憶手段を更に備えたことを特徴とする請求項１に記載のオーダリングシステム。
【請求項３】
前記記憶手段は、テイクアウトラベルの発行履歴と共に、オペレータの識別情報も記憶することを特徴とする請求項２に記載のオーダリングシステム。
【発明の詳細な説明】
【技術分野】
【０００１】
本発明は、テイクアウト商品（持ち帰り商品）に対して確実にラベル（テイクアウトラベル）を発行することができるオーダリングシステムに関するものである。
【背景技術】
【０００２】
従来の飲食店におけるオーダリングシステムは、買った商品（調理品）を店内で食べる、いわゆるイートインに対応した構成のものがほとんどであった。つまり、客が店員に商品を注文し、厨房などにおいて前記商品を調理し、完成した商品を店員が客に提供し、客が店内でその商品を食べる方式である。
【０００３】
一方、注文した商品を店外に持ち出して食べるテイクアウトを行う場合は、客が店員に対してテイクアウトの申し出を行う。そして、商品が調理されて出来上がったら、そのテイクアウト商品を客に手渡す際に、店員がラベルプリンタを操作し、消費時刻やその商品の原材料情報等が印字されたラベル（以下「テイクアウトラベル」という）を発行し、このテイクアウトラベルを前記商品に貼付してから客に手渡すようにしていた。
【先行技術文献】
【特許文献】
【０００４】
【特許文献１】特開２００２−１９００６８号公報
【発明の概要】
【発明が解決しようとする課題】
【０００５】
しかしながら、忙しい時間帯や繁忙期などでは、テイクアウト商品に対してテイクアウトラベルを発行しないで（発行を忘れて）手渡してしまうという問題を生じる恐れがあった。また手渡したテイクアウト商品に何らかの問題（例えば不良品の苦情など）が生じた場合でも、店側にはテイクアウトラベルを発行した履歴がデータとして残っていないので、問題を解決するための有効な追跡調査（問題発生の原因追及や他の不良テイクアウト商品の数の調査など）を行うことができなかった。
【０００６】
本発明は上述の点に鑑みてなされたものでありその目的は、テイクアウト商品に対してテイクアウトラベルを発行しないで手渡してしまうことがなく、また手渡した商品に問題が生じた場合でもその追跡調査を容易に行うことができるオーダリングシステムを提供することにある。
【課題を解決するための手段】
【０００７】
本発明は、客が所望する商品の注文を受け付けるオーダリングシステムにおいて、前記客が注文する商品を選択する選択手段と、前記選択手段で選択された商品がテイクアウト商品であることを宣言する宣言手段と、前記宣言手段で宣言されたテイクアウト商品のテイクアウトラベルを発行するラベル発行手段と、を備え、前記ラベル発行手段は、前記選択されたテイクアウト商品の代金決済がなされた時点、或いは、前記選択されたテイクアウト商品の調理が完了した宣言がなされた時点、或いは、前記選択されたテイクアウト商品が客に引き渡される宣言がなされた時点、の何れかにおいて、前記選択されたテイクアウト商品のテイクアウトラベルを発行することを特徴としている。
即ち、このオーダリングシステムにおいては、客が所望する商品を選択し、その商品がテイクアウト商品であることが宣言されると、選択されたテイクアウト商品に貼付するテイクアウトラベルが自動的に発行される。このため、忙しい時間帯や繁忙期等においても、テイクアウトラベルを発行しないでテイクアウト商品を客に手渡すということを確実に防止できる。
そして、テイクアウト商品の代金決済がなされた時点（会計が済んだ時点）でテイクアウトラベルを発行するように構成した場合は、代金決済がなされたテイクアウト商品に対して確実にテイクアウトラベルを発行することができる。
またテイクアウト商品の調理が完了した宣言がなされた時点でテイクアウトラベルを発行するように構成した場合は、テイクアウトラベルを発行する時期とテイクアウト商品が出来上がる時期が一致するので、テイクアウトラベルを貼り付けるテイクアウト商品を取り違えること等を確実に防止できる。
またテイクアウト商品が客に引き渡される宣言がなされた時点でテイクアウトラベルを発行するように構成した場合は、テイクアウトラベルを発行する時期とテイクアウト商品を客に手渡す時期が一致するので、テイクアウト商品へのテイクアウトラベルの貼り忘れを防止できる。
【０００８】
また本発明は、前記ラベル発行手段により発行されたテイクアウトラベルの発行履歴を記憶する記憶手段を更に備えたことを特徴としている。
即ち、このオーダリングシステムにおいては、客が所望する商品を選択し、その商品がテイクアウト商品であることが宣言されると、選択されたテイクアウト商品に貼付するテイクアウトラベルが自動的に発行されると同時に、その発行履歴が記憶される。このため、手渡したテイクアウト商品に何らかの問題が生じたような場合でも、記憶しておいた発行履歴を用いることで有効な追跡調査を行うことが可能となる。
【０００９】
また本発明は、前記記憶手段が、テイクアウトラベルの発行履歴と共に、オペレータの識別情報も記憶することを特徴としている。
オーダリングシステムを操作するオペレータの識別情報を記憶しておくので、手渡したテイクアウト商品の追跡調査を行う際に、操作したオペレータの情報も含めることができ、より効果的な追跡調査を行うことができ、問題解決などに資することができる。
【図面の簡単な説明】
【００１０】
【図１】オーダリングシステム１の概略構成図である。
【図２】商品ファイルの一例を示す図である。
【図３】管理装置１０の機能ブロック図の一例を示す図である。
【図４】会計装置２０の機能ブロック図の一例を示す図である。
【図５】注文端末１２０（１４０）の機能ブロック図の一例を示す図である。
【図６】注文端末１２０が実行する注文受付処理の一例を示すフローチャートである。
【図７】注文端末１２０のメニュー画面Ｍ１−１の表示例を示す図である。
【図８】オーダーリスト表示画面Ｍ１−２の表示例を示す図である。
【図９】注文端末１４０が実行する注文受付処理の一例を示すフローチャートである。
【図１０】注文端末１４０のメニュー画面Ｍ２−１の表示例を示す図である。
【図１１】キッチン端末６０から調理完了信号とオペレータ情報を受信した際の管理装置１０における動作フロー図である。
【図１２】テイクアウトラベル発行履歴ファイル２００の一例を示す図である。
【図１３】テイクアウトラベル２５０の一例を示す図である。
【図１４】会計装置２０から会計完了信号とオペレータ情報を受信した際の管理装置１０における動作フロー図である。
【図１５】端末装置から引き渡し完了信号とオペレータ情報を受信した際の管理装置１０における動作フロー図である。
【発明を実施するための形態】
【００１１】
以下、本発明の実施形態を図面を参照して詳細に説明する。
図１は本発明の一実施形態にかかるオーダリングシステム１の概略構成図である。このオーダリングシステム１は、店舗における商品管理システムでもある。同図に示すように、オーダリングシステム１は、管理装置（ストアーコントローラ）１０と、会計装置２０と、ラベルプリンタ（ラベル発行手段）５０と、キッチン端末６０と、アクセスポイント８０とをＬＡＮ１００によって接続し、またアクセスポイント８０を介して、注文端末１２０，１４０をＬＡＮ１００に接続して構成されている。ＬＡＮ１００は有線、無線の何れであっても良い。
【００１２】
管理装置１０は、オーダリングシステム１全体を制御するコンピュータであって、商品マスタファイル等の種々の情報を管理する。商品マスタファイルは、各商品の商品名、商品コード、販売価格等の商品情報を格納したファイルであって、適宜更新される。管理装置１０は、適宜、最新の商品マスタファイルを商品ファイルとして会計装置２０や注文端末１２０，１４０等に送信する。図２は商品ファイル１５０の一例を示す図である。同図に示すように商品ファイル１５０には、商品コード、商品名、価格等の他、テイクアウトできる商品であるか否かの情報も記憶されている。
【００１３】
図３は管理装置１０の機能ブロック図の一例を示す図である。同図に示すように、管理装置１０は、ＣＰＵ１０１と、ＲＯＭ１０３と、ＲＡＭ１０５と、表示部１０７と、ハードディスク（記憶手段）１０９と、操作部１１１と、通信部１１３とを有しており、これら各構成要素を互いにバス１１５を介して接続して構成されている。ＣＰＵ１０１は、ＲＯＭ１０３に記憶された制御プログラムを実行することにより、管理装置１０の動作を制御する。ＲＯＭ１０３は、前記制御プログラム等の各種情報を記憶する。ＲＡＭ１０５は、種々の情報を一時記憶する。表示部１０７は、例えば液晶ディスプレイであり、管理装置１０を操作する店員に対して情報を表示する。ハードディスク１０９は、前記商品ファイル１５０や下記するテイクアウトラベル発行履歴ファイル２００等の各種情報を記憶する記憶手段である。操作部１１１は、管理装置１０を操作する店員から種々の操作を受けるための各種キー等を有している。通信部１１３はＬＡＮ１００を介して外部の各種機器と通信するための通信インターフェースである。
【００１４】
会計装置２０は、図１に示すように、客が買い上げる商品の登録及び精算を行うＰＯＳレジスタであり、各種の操作ボタンを有する操作部４１や液晶パネルからなる表示部（店員用表示部）３１などを備えている。図４は会計装置２０の機能ブロック図の一例を示す図である。同図に示すように、会計装置２０は、この会計装置２０の動作を制御するＣＰＵ２１と、客の買上情報などを記憶するハードディスク２３と、ＣＰＵ２１が実行するプログラムを記憶するＲＯＭ２５と、種々の情報を記憶するＲＡＭ２７と、商品に付されているバーコード（商品コード）を光学的に読み取るスキャナ部２９と、商品の名称や価格などを表示する店員用表示部３１と、客用表示部３３と、レシート印字部３５と、現金や金券などを保管するドロワ部３７と、ＬＡＮ１００を経由して管理装置１０などの外部機器と通信する通信部３９と、会計装置２０を動作させる各種の操作ボタンなどからなる操作部４１とを備えている。各構成要素は互いにバス４３を介して接続されている。ＲＡＭ２７には管理装置１０より取得した商品ファイルなどが記憶されている。
【００１５】
ラベルプリンタ５０は、図１に示すように、表示部５１と、操作部５３と、ラベル発行部５５とを具備している。このラベルプリンタ５０は、台紙レスラベルプリンタである。このラベルプリンタ５０は、会計装置２０に隣接して設置する場合や、厨房近傍に設置する場合や、テイクアウト商品を受け渡す商品受け渡し口近傍に設置する場合などがある。
【００１６】
キッチン端末６０は、この例では、商品の調理指示データをプリントアウトするキッチンプリンタであり、一般に厨房（調理場）近傍に設置される。厨房で調理する店員は、キッチン端末６０でプリントアウトされる調理指示シートに従って調理を行う。キッチン端末６０は、注文端末１２０，１４０で商品の注文を受けた際に送信される調理指示命令を受け取り、調理指示シートを印刷・発行する。キッチン端末６０には、調理が完了したことを宣言する図示しない調理完了ボタンが設けられている。なおキッチン端末６０は、キッチンプリンタの代りに、調理指示データを画面に表示する装置（キッチンモニタ（キッチンディスプレイ））であっても良いし、両者を設置しても良い。
【００１７】
注文端末１２０と注文端末１４０は、同様の構成を有している。注文端末１２０は、図１に示すように、その表面にタッチパネル１２７と、操作ボタン部１３１とを有している。また注文端末１４０も、その表面にタッチパネル１４７と、操作ボタン部１５１とを有している。両者の機能ブロック構成は略同一なので、以下、まとめて説明する。図５は注文端末１２０（１４０）の構成の一例を示す機能ブロック図である。同図に示すように注文端末１２０（１４０）は、ＣＰＵ１２１（１４１）と、ＲＯＭ１２３（１４３）と、ＲＡＭ１２５（１４５）と、タッチパネル（表示部兼操作部）１２７（１４７）と、通信部１２９（１４９）と、操作ボタン部（操作部）１３１（１５１）とを、バス１３３（１５３）によって相互に接続して構成されている。ＣＰＵ１２１（１４１）は各種プログラムを実行する。ＲＯＭ１２３（１４３）は、例えば、ＣＰＵ１２１（１４１）において実行される各種プログラムや、タッチパネル１２７（１４７）において表示される画像データ（画像フォーマット情報）などを記憶する。ＲＡＭ１２５（１４５）は、例えば管理装置１０から受信した各種ファイル（例えば商品ファイル）や、ＣＰＵ１２１（１４１）が生成したデータを一時記憶する。タッチパネル１２７（１４７）は、液晶パネルのような種々の画像を表示する表示装置と、タッチパッドのような位置入力装置とを組み合わせた装置であり、画面上の表示を押下（タッチ）することで予め設定された複数の商品の内から注文を受けた商品を選択する選択手段（入力装置）となっている。通信部１２９（１４９）はアクセスポイント８０を経由して他の装置（管理装置１０やキッチン端末６０など）と送受信を行う送信手段（送受信手段）である。操作ボタン部１３１（１５１）は、例えば電源スイッチボタンや操作ボタンなどから構成され、操作者である店員からの入力操作を受け付ける。操作ボタン部１３１（１５１）も前記選択手段（入力装置）の一部を構成する場合がある。
【００１８】
注文端末１２０と注文端末１４０の異なる点は、注文端末１２０は主として店員が操作する携帯端末であるのに対して、注文端末１４０は主として客自らが操作する携帯端末である点である。このため、注文端末１４０のタッチパネル１４７は、操作が行い易いように、大きな画面となっている。
【００１９】
次にこのオーダリングシステム１の動作例を説明する。
まず、店員が注文端末１２０を用いて客から注文を取る場合について説明する。図６は注文端末１２０が実行する注文受付処理の一例を示すフローチャートである。まずステップ１−１において、注文端末１２０のタッチパネル１２７にメニュー画面Ｍ１−１を表示する。図７はそのときのメニュー画面Ｍ１−１の表示例を示す図である。同図に示すように、メニュー画面Ｍ１−１には、その上部に選択商品表示部ｐ１−１、その中ほどにメニュー表示部ｐ１−２、その下部に戻るボタンｐ１−３、リスト表示ボタンｐ１−４、キャンセルボタンｐ１−５、テイクアウトボタン（宣言手段）ｐ１−６を表示している。
【００２０】
次に、前記メニュー表示部ｐ１−２中に表示されている商品の内、所望の商品を押下（タッチ）することで商品が選択されると（ステップ１−２）、その選択された商品をメニュー画面Ｍ１−１中の選択商品表示部ｐ１−１に表示する（ステップ１−３）。例えば図７では、メニュー表示部ｐ１−２中に表示された「オムライス」を押下し、次に「シーフードカレー」を押下することで、選択商品表示部ｐ１−１に両商品を表示している。この表示は、リスト表示ボタンｐ１−４が押下されるまで保持される。以上が、客の注文する商品を選択する選択手段である。
【００２１】
一方、メニュー画面Ｍ１−１が表示された状態で（ステップ１−１）、商品を選択する代りにテイクアウトボタンｐ１−６が押下された場合は（ステップ１−２→ステップ１−４）、直前に選択された商品に「テイクアウト」の表示を行う（ステップ１−５）。例えば図７では、選択商品表示部ｐ１−１中に直前に表示された「シーフードカレー」を、「シーフードカレー（テイクアウト）」と表示変更する。以上が、選択手段で選択された商品が、テイクアウト商品であることを宣言する宣言手段である。
【００２２】
以上のように、客の注文に応じて商品を選択すると共に、選択された商品がテイクアウト商品である場合はテイクアウトボタンｐ１−６を押下してゆき、全ての商品の注文を受け付けた後に、リスト表示ボタンｐ１−４が押下される（ステップ１−６）。これによって、タッチパネル１２７のメニュー画面Ｍ１−１は、図８に示すオーダーリスト表示画面Ｍ１−２に切り換わる（ステップ１−７）。図８のオーダーリスト表示画面Ｍ１−２には、注文した商品の一覧と、価格と、合計金額の他、その下部に戻るボタンｐ１−７と確定ボタンｐ１−８とが表示されている。通常このとき店員は、オーダーリスト表示画面Ｍ１−２に表示されている商品を読み上げ、注文内容に間違いがないことを客に確認する。
【００２３】
そして注文内容に間違いがない場合、店員は確定ボタンｐ１−８を押下する（ステップ１−８）。これによってオーダーリストのデータが、テイクアウト指示のデータと共に、管理装置１０や会計装置２０やキッチン端末６０等の外部機器に送信される（ステップ１−９）。
【００２４】
一方、注文内容に間違いや訂正がある場合、店員は戻るボタンｐ１−７を押下する（ステップ１−８→ステップ１−１０）。これによってタッチパネル１２７の表示は、図７に示すメニュー画面Ｍ１−１に戻り、キャンセルボタンｐ１−５などを用いて、注文内容を変更する。
【００２５】
次に、注文端末１４０を用いて客が直接商品を注文する場合について説明する。図９は注文端末１４０が実行する注文受付処理の一例を示すフローチャートである。まずステップ２−１において、注文端末１４０のタッチパネル１４７にメニュー画面Ｍ２−１を表示する。図１０はそのときのメニュー画面Ｍ２−１の表示例を示す図である。同図に示すように、メニュー画面Ｍ２−１には左側に選択商品表示部ｐ２−１、その中ほどに写真付きのメニュー表示部ｐ２−２を表示し、また選択商品表示部ｐ２−１の下部にテイクアウトボタン（宣言手段）ｐ２−３と取消ボタンｐ２−４と変更ボタンｐ２−５と注文確定ボタンｐ２−６とを表示し、選択商品表示部ｐ２−１の上部に「今までの注文合計」ｐ２−７と「新規注文リストの合計金額」ｐ２−８を表示し、メニュー表示部ｐ２−２の上部に会計ボタンｐ２−９とスタッフ呼出ボタンｐ２−１０を表示している。
【００２６】
次に、前記メニュー表示部ｐ２−２中に表示されている商品の内、所望の商品を押下（タッチ）することで商品が選択されると（ステップ２−２）、その選択された商品をメニュー画面Ｍ２−１中の選択商品表示部ｐ２−１に表示する（ステップ２−３）。例えば図１０では、メニュー表示部ｐ２−２中に表示された「オムライス」を押下し、次に「シーフードカレー」を押下することで、選択商品表示部ｐ２−１に両商品を表示している。この表示は、注文確定ボタンｐ２−６が押下されるまで保持される。以上が、客の注文する商品を選択する選択手段である。
【００２７】
一方、メニュー画面Ｍ２−１が表示された状態で（ステップ２−１）、商品を選択する代りにテイクアウトボタンｐ２−３が押下された場合は（ステップ２−２→ステップ２−４）、直前に選択された商品に「テイクアウト」の表示を行う（ステップ２−５）。例えば図１０では、選択商品表示部ｐ２−１中に直前に表示された「シーフードカレー」を、「シーフードカレー（テイクアウト）」と表示変更する。以上が、選択手段で選択された商品が、テイクアウト商品であることを宣言する宣言手段である。
【００２８】
以上のように、客が商品を選択すると共に、選択された商品がテイクアウト商品である場合はテイクアウトボタンｐ２−３を押下してゆき、全ての商品の注文を入力したことを客が確認したときは、注文確定ボタンｐ２−６が押下される（ステップ２−６）。これによって選択商品表示部ｐ２−１に表示されたオーダーリストのデータが、テイクアウト指示のデータと共に、管理装置１０や会計装置２０やキッチン端末６０等の外部機器に送信される（ステップ２−７）。なお、注文内容に間違いや訂正がある場合、客は注文確定ボタンｐ２−６を押下する前に、取消ボタンｐ２−４や変更ボタンｐ２−５を押下することで、前記選択商品表示部ｐ２−１に表示した商品の取消や変更ができる。
【００２９】
次に、上述のように注文端末１２０または注文端末１４０から送信されたオーダーリスト等のデータは、直接又は管理装置１０を介して間接に、キッチン端末６０に受信される。キッチン端末６０では、前記受信したデータに基づいて調理指示シートをプリントアウトする。厨房の店員はこの調理指示シートに従って調理を行う。調理が完了すると、完成した各商品毎、または注文された商品群毎に、図示しない調理完了ボタンを前記店員が押下し、調理が完了したことを図示しないカスタマモニタに送信し、カスタマモニタにその商品を表示する。カスタマモニタに表示された商品は、ホール側の店員が配膳のために厨房から持ち出す際に、カスタマモニタに表示されているその商品を押下し、その表示を消去する。なおカスタマモニタは必ずしも設置していなくても良い。
【００３０】
一方前記調理完了ボタンが押下された際、その商品がテイクアウト商品であった場合は、キッチン端末６０から管理装置１０にテイクアウト商品の調理完了信号を送信する。キッチン端末６０には、このキッチン端末６０を操作する店員（オペレータ）を予め登録しておき（或いは調理完了ボタンを押下する毎に店員登録番号を入力することなどで）、前記調理完了信号と共にオペレータ情報（オペレータ名や登録番号などの識別情報）も併せて管理装置１０に送信する。
【００３１】
図１１はキッチン端末６０から調理完了信号とオペレータ情報を受信した際の管理装置１０の動作フロー図である。同図に示すようにキッチン端末６０よりテイクアウト商品の調理完了信号とオペレータ情報を受信した場合（ステップ３−１）、管理装置１０はラベルプリンタ５０にテイクアウト商品のテイクアウトラベルを発行するように命令を送信する（ステップ３−２）。次に管理装置１０は、前記ラベル発行を命令したテイクアウト商品のデータをハードディスク１０９のテイクアウトラベル発行履歴ファイル２００にそのオペレータ情報と共に記憶する（ステップ３−３）。図１２はテイクアウトラベル発行履歴ファイル２００の一例を示す図である。同図に示すように、テイクアウトラベル発行履歴ファイル２００には、そのテイクアウト商品の取引番号と、発行日時（発行命令日時）と、商品コードと、商品名と、オペレータ名（オペレータ情報）とを、発行された順に記録したファイルである。
【００３２】
図１３はラベルプリンタ５０から発行されたテイクアウトラベル２５０の一例を示す図である。このテイクアウトラベル２５０は、注文端末１２０（または１４０）において、前述のように、商品「シーフードカレー」が選択され、さらにテイクアウトボタンｐ１−６（またはｐ２−３）が押下された場合の一例を示している。テイクアウトラベル２５０には、商品名、消費期限、製造年月日、原材料名などが記載されている。
【００３３】
以上説明したように、このオーダリングシステム１においては、客の所望する商品を選択し、その商品がテイクアウト商品であることが宣言されると、選択されたテイクアウト商品に貼付するテイクアウトラベル２５０が自動的に発行されることとなる。同時に、その発行履歴が管理装置１０に記憶される。このため、忙しい時間帯や繁忙期等においても、テイクアウト商品に対してテイクアウトラベル２５０を発行しないで手渡すということを確実に防止できる。さらに手渡したテイクアウト商品にその後何らかの問題（例えば、販売後のテイクアウト商品に対して品質上の苦情を受けたために、そのテイクアウト商品の製造年月日などを調査する必要が生じたような場合など）が生じた場合でも、記憶しておいた発行履歴を表示することで追跡調査を行うことができる。特にこのオーダリングシステム１においては、テイクアウトラベル２５０の発行を指示した店員（オペレータ）の情報（識別情報）も記憶しているので、上記追跡調査を行う際に、操作したオペレータの情報も得ることができ、より効果的な追跡調査を行うことができ、問題解決に資することができる。
【００３４】
また上記図１１で説明した動作フロー図のように、テイクアウト商品の調理が完了した宣言がなされた時点でテイクアウトラベル２５０を発行するように構成した場合は、テイクアウトラベル２５０を発行する時期と商品が出来上がる時期とが一致するので、テイクアウトラベル２５０を貼り付ける商品を取り違えること等を確実に防止できる。特にこのときラベルプリンタ５０を厨房近傍に設置しておけば、調理が完了したテイクアウト商品の近傍においてテイクアウトラベル２５０が発行されるので、テイクアウト商品へのテイクアウトラベル２５０の貼り付けを忘れたり、貼り付ける商品を取り違えることをより確実に防止できる。
【００３５】
上記オーダリングシステム１においては、テイクアウト商品の調理が完了した宣言がなされた時点、即ちキッチン端末６０から調理完了信号とオペレータ情報を送信した時点で、そのテイクアウト商品のテイクアウトラベル２５０を発行するように構成したが、その代りに、テイクアウト商品の代金決済がなされた時点（会計が済んだ時点）でそのテイクアウト商品のテイクアウトラベル２５０を発行するように構成してもよい。この場合、ラベルプリンタ５０は、会計装置２０の近傍に設置しておくことが好ましい。この例の場合、キッチン端末６０を操作する店員（オペレータ）をキッチン端末６０に予め登録しておく代りに、会計装置２０を操作する店員（オペレータ）を会計装置２０に予め登録しておく。そして会計装置２０において、代金決済がなされたときに、代金決済を行った商品の中にテイクアウト商品があった場合は、会計装置２０は、管理装置１０にテイクアウト商品の会計完了信号（代金決済完了信号）とオペレータ情報などを送信する。
【００３６】
図１４はテイクアウト商品の会計が済んだ時点で、そのテイクアウト商品のテイクアウトラベル２５０を発行させる管理装置１０の動作フロー図である。同図に示すように、会計装置２０よりテイクアウト商品の会計完了信号とオペレータ情報を受信した場合（ステップ４−１）、管理装置１０はラベルプリンタ５０にテイクアウト商品のテイクアウトラベルを発行するように命令を送信する（ステップ４−２）。この命令によって、ラベルプリンタ５０は、図１３に示すようなテイクアウトラベル２５０を発行する。そして管理装置１０は、前記ラベル発行を命令したテイクアウト商品のデータをハードディスク１０９の前記テイクアウトラベル発行履歴ファイル２００にそのオペレータ情報と共に記憶する（ステップ４−３）。
【００３７】
この動作フロー図のように、テイクアウト商品の代金決済がなされた時点でテイクアウトラベル２５０を発行するように構成した場合は、代金決済がなされたテイクアウト商品に対して確実にテイクアウトラベル２５０を発行することができる。言い換えれば、テイクアウトラベル２５０を貼付していないテイクアウト商品は、代金決済がなされていないことが分かる。
【００３８】
さらにこのオーダリングシステム１においては、テイクアウト商品が客に引き渡される宣言がなされた時点で、そのテイクアウト商品のテイクアウトラベル２５０を発行するように構成してもよい。この場合、ラベルプリンタ５０は、例えば、店舗の商品引き渡し口近傍に設置しておくことが好ましい。この例の場合、例えば、別途、図示しない端末装置を商品引き渡し口近傍に設置し、この端末装置を操作する店員（オペレータ）をこの端末装置に予め登録しておく。この端末装置は、例えば、その操作部（タッチパネルなど）に設けた引き渡し確認ボタンにタッチ（押下）することで、テイクアウト商品を客に引き渡したことを確認する。そしてこの引き渡し確認ボタンのタッチと同時に、端末装置は、管理装置１０にテイクアウト商品の引き渡し完了信号とオペレータ情報などを送信する。
【００３９】
図１５はテイクアウト商品の引き渡しが済んだ時点で、そのテイクアウト商品のテイクアウトラベル２５０を発行させる管理装置１０の動作フロー図である。同図に示すように、前記端末装置よりテイクアウト商品の引き渡し完了信号とオペレータ情報を受信した場合（ステップ５−１）、管理装置１０はラベルプリンタ５０にテイクアウト商品のテイクアウトラベル２５０を発行するように命令を送信する（ステップ５−２）。この命令によって、ラベルプリンタ５０は、図１３に示すようなテイクアウトラベル２５０を発行する。そして管理装置１０は、前記ラベル発行を命令したテイクアウト商品のデータをハードディスク１０９の前記テイクアウトラベル発行履歴ファイル２００にそのオペレータ情報と共に記憶する（ステップ５−３）。
【００４０】
この動作フロー図のように、テイクアウト商品が客に引き渡される宣言がなされた時点でテイクアウトラベル２５０を発行するように構成した場合は、テイクアウトラベル２５０を発行する時期とテイクアウト商品を客に手渡す時期とが一致するので、この点からテイクアウト商品へのテイクアウトラベル２５０の貼り忘れを防止できる。
【００４１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば、上記例では商品引き渡し口近傍に端末装置を設置した構成について説明したが、この端末装置を会計装置２０やキッチン端末６０に兼用させても良い。この場合、会計装置２０やキッチン端末６０を商品引き渡し口近傍に設置すれば、特に効果的である。
【００４２】
また上記例では、テイクアウトラベルの発行履歴やオペレータの識別情報を記憶する記憶手段として管理装置１０（そのハードディスク１０９）を用いたが、この記憶手段としては、管理装置１０のＲＡＭ１０５，会計装置２０等の他の機器が有する記憶手段（例えば会計装置２０のハードディスク２３やＲＡＭ２７、その他の機器のＲＡＭなど）を用いても良い。
【符号の説明】
【００４３】
１  オーダリングシステム            １０  管理装置（ストアーコントローラ）
２０  会計装置                      ２１  ＣＰＵ
２３  ハードディスク                ２５  ＲＯＭ
２７  ＲＡＭ                        ２９  スキャナ部
３１  店員用表示部（表示部）        ３２  操作部
３３  客用表示部                    ３５  レシート印字部
３７  ドロワ部                      ３９  通信部
４１  操作部                        ４３  バス
５０  ラベルプリンタ（ラベル発行手段）
５１  表示部                        ５３  操作部
５５  ラベル発行部                  ６０  キッチン端末
８０  アクセスポイント              １００  ＬＡＮ
１０１  ＣＰＵ                      １０３  ＲＯＭ
１０５  ＲＡＭ                      １０７  表示部
１０９  ハードディスク（記憶手段）  １１１  操作部
１１３  通信部                      １１５  バス
１２０  注文端末                    １２１（１４１）  ＣＰＵ
１２３（１４３）  ＲＯＭ            １２５（１４５）  ＲＡＭ
１２７（１４７）  タッチパネル（表示部兼操作部、選択手段）
１２９（１４９）  通信部
１３１（１５１）  操作ボタン部（操作部、選択手段）
１３３（１５３）  バス              １４０  注文端末
１４７  タッチパネル                Ｍ１−１  メニュー画面
Ｍ１−２  オーダーリスト表示画面    ｐ１−１  選択商品表示部
ｐ１−２  メニュー表示部            ｐ１−３  戻るボタン
ｐ１−４  リスト表示ボタン          ｐ１−５  キャンセルボタン
ｐ１−６  テイクアウトボタン（宣言手段）
ｐ１−７  戻るボタン                ｐ１−８  確定ボタン
Ｍ２−１  メニュー画面              ｐ２−１  選択商品表示部
ｐ２−２  メニュー表示部
ｐ２−３  テイクアウトボタン（宣言手段）
ｐ２−４  取消ボタン                ｐ２−５  変更ボタン
ｐ２−６  注文確定ボタン            ｐ２−７  今までの注文合計
ｐ２−８  新規注文リストの合計金額  ｐ２−９  会計ボタン
ｐ２−１０  スタッフ呼出ボタン      １５０  商品ファイル
２００  テイクアウトラベル発行履歴ファイル
２５０  テイクアウトラベル
【図１】
2015114867.tif 000003
【図２】
2015114867.tif 000004
【図３】
2015114867.tif 000005
【図４】
2015114867.tif 000006
【図５】
2015114867.tif 000007
【図６】
2015114867.tif 000008
【図７】
2015114867.tif 000009
【図８】
2015114867.tif 000010
【図９】
2015114867.tif 000011
【図１０】
2015114867.tif 000012
【図１１】
2015114867.tif 000013
【図１２】
2015114867.tif 000014
【図１３】
2015114867.tif 000015
【図１４】
2015114867.tif 000016
【図１５】
2015114867.tif 000017